【手続補正書】
【提出日】平成16年10月20日(2004.10.20)
【手続補正１】
【補正対象書類名】明細書
【補正対象項目名】特許請求の範囲
【補正方法】変更
【補正の内容】
【特許請求の範囲】
【請求項１】
目的物の付近に複数の所定の周波数における摂動されていないエネルギーフィールドを発生させ、
該物品の導入の前にそれぞれの複数の所定の周波数における複数の得られる信号の各々のベースライン位相値φωを測定し、
該目的物の付近への該摂動されていないフィールドに応答する物品の導入により、該摂動されていないフィールドに応答して誘導された摂動をうけているエネルギーフィールドの特徴を決定し、
該物品の導入後該目的物の位置に発生した該摂動されていないエネルギーフィールド及び摂動をうけているエネルギーフィールドに応答する複数の得られる信号を受信し、
パラメーターが複数の所定の周波数の各々について、項│φωtotal−φω│を含んでなるように、該物品の導入後のそれぞれの複数の所定の周波数における位相シフトφωtotalを測定し、
│φωtotal−φω│が最小である周波数ωを決定することにより、得られる信号のパラメーターに応答する複数の所定の周波数の中から摂動されていないエネルギーフィールドのための最適周波数を決定し、そして、
該最適周波数において得られる信号に応答する該目的物の空間座標を決定する、
ことを含んでなる目的物をトラッキングする方法。
【請求項２】
複数の所定の周波数における摂動されていないエネルギーフィールドを発生することが、周波数を連続的に走査することを含んでなる請求項１に記載の方法。
【請求項３】
複数の所定の周波数における摂動されていないエネルギーフィールドを発生することが、周波数の少なくともいくつかを多重化することを含んでなる請求項１に記載の方法。
【請求項４】
該目的物の空間座標を決定することが、周波数ωにおける信号の振幅│Ｍω│に応答する空間座標を決定することを含んでなる請求項１に記載の方法。
【請求項５】
該目的物の空間座標を決定することが、周波数ωにおける信号Ｍωの位相に応答する空間座標を決定することを含んでなる請求項１に記載の方法。
【請求項６】
エネルギーフィールドを発生することが、磁界を発生することを含んでなる請求項１に記載の方法。
【請求項７】
信号を受信することが、該磁界に応答して発生される電気信号を受信することを含んでなる請求項６に記載の方法。
【請求項８】
目的物の付近に複数の所定の周波数を含んでなる摂動されていないエネルギーフィールドを発生させ、
該目的物の付近への該摂動されていないフィールドに応答する物品の導入により、摂動をうけているエネルギーフィールドを発生させ、
該物品の導入後該目的物の位置に発生した該摂動されていないエネルギーフィールド及び摂動をうけているエネルギーフィールドに応答するそれぞれの複数の信号を受信し、
【外１】
2002236010.tif 000001
ルドを発生する複数の所定の電流に正比例すると仮定することにより、該複数の信号及びそれぞれの周波数に応答する該目的物の空間座標に応じて１つ以上のファクターを決定し、そして、
摂動されていないエネルギーフィールドに応答する信号の位相φω及び摂動をうけているエネルギーフィールドの信号の位相φω'が該複数の所定の周波数に線形依存性であると仮定する、
ことを含んでなる目的物をトラッキングする方法。
【請求項９】
該複数の周波数が少なくとも４つの周波数を含んでなり、そして１つ以上のファクターが該目的物の空間座標を含んでなる請求項８に記載の方法。
【請求項１０】
該複数の信号を受信することが、少なくとも４つの周波数における信号Ｍｉの少なくとも４つの値を受信することを含んでなり、１つ以上のファクターを決定することが、
信号Ｍｉのそれぞれの値を式
【数１】
2002236010.tif 000002
【外２】
2002236010.tif 000003
ないフィールドのフェーザであり、ａｉ'は摂動をうけているフィールドの振幅を表し、φｉ'は摂動をうけているフィールドの位相を表し、そしてｉはそれぞれ少なくとも４つの周波数に対応する少なくとも４つの数を表し、それにより少なくとも４つの式を発生させる、
に代入し、そして
位置信号振幅Ａ０について該少なくとも４つの式を解く、
ことにより摂動されていないエネルギーフィールドに対応して発生した位置信号振幅Ａ０の値を決定することを含んでなる、請求項９に記載の方法。
【請求項１１】
目的物の付近に複数の所定の周波数のエネルギーフィールドを発生させる放射体と、
該エネルギーフィールド及び該エネルギーフィールドに応答する干渉物品に応答する複数の信号を発生する該目的物に固定されたセンサと、そして、
該センサから複数の信号を受信し、そして該物品の導入の前にそれぞれの複数の所定の周波数における複数の得られる信号の各々のベースライン位相値φωを測定し且つパラメーターが複数の所定の周波数の各々について項│φωtotal−φω│を含んでなるように該物品の導入後のそれぞれの複数の所定の周波数における位相シフトφωtotalを測定することにより該信号のパラメーターに応答する複数の所定の周波数の中から該エネルギーフィールドのための最適周波数を決定し、そして│φωtotal−φω│が最小である周波数ωを決定することにより該最適周波数における該信号に応答する該目的物の位置座標を決定するものである、信号処理回路、
を具備する目的物トラッキング装置。
【請求項１２】
該放射体が該複数の所定の周波数を順次に走査することにより該複数の所定の周波数におけるエネルギーフィールドを発生する請求項１１に記載の装置。
【請求項１３】
該放射体が周波数の少なくともいくらかを多重化することにより該複数の所定の周波数におけるエネルギーフィールドを発生させる請求項１１に記載の装置。
【請求項１４】
該パラメーターが位相シフトを含んでなり、そして最適周波数が、位相シフトが最小である周波数を含んでなる請求項１１に記載の装置。
【請求項１５】
該信号処理回路が、位相シフトが最小である周波数における複数の信号の１つの振幅に応答する該目的物の位置座標を決定する請求項１４に記載の装置。
【請求項１６】
該エネルギーフィールドが磁界を含んでなる請求項１１に記載の装置。
【請求項１７】
複数の信号が該磁界に応答して発生させられる複数の電気信号を含んでなる請求項１６に記載の装置。
【請求項１８】
目的物の付近に複数の所定の周波数を含んでなるエネルギーフィールドを発生させる放射体と、
該エネルギーフィールド及び該エネルギーフィールドに応答する干渉物品に応答するそれぞれの複数の信号を発生する該目的物に固定されたセンサと、
該センサから複数の信号を受信し、そして
【外１】
2002236010.tif 000004
ルドを発生する複数の所定の電流に正比例すると仮定し、且つ摂動されていないエネルギーフィールドに応答する信号の位相φω及び摂動をうけているエネルギーフィールドの信号の位相φω'が該複数の所定の周波数に線形依存性であると仮定することにより、該信号及びそれらの対応する周波数に応答する該目的物の空間座標を条件とする１つ以上のファクターを決定する信号処理回路、
を具備する目的物トラッキング装置。
【請求項１９】
該複数の周波数が少なくとも４つの周波数を含んでなり、そして該１つ以上のファクターが該目的物の空間座標を含んでなる請求項１８に記載の装置。